(57)【要約】【課題】瓶用容器を含む装置の使用又は保存時に支持部がかさばらず、ユーザが支持部を置き忘れてしまうことがないような装置を提供する。【解決手段】装置１は、瓶３用の容器２と支持部４とを含む。容器２は、開口部７及び底部８を備える。支持部４は、容器２をテーブル５の縁部６に固定するように設計され、台座１０を備える。支持部４と容器２とは、手段１７、１８、３１により、（ｉ）第１の位置と（ｉｉ）第２の位置とで堅固に接続されることを目的とする。（ｉ）第１の位置において、支持部４の台座１０は、容器２の開口部７の側に位置し、支持部４は、装置１をテーブル５の縁部６に固定して、これにより、容器２の開口部７が上方に方向付けられるように設計される。（ｉｉ）第２の位置において、支持部４の台座１０は、容器２の底部８の側に位置し、容器２を支持するテーブル上に安定した様態で立設するように設計される。【選択図】図７
2008512313.tif 000002
【特許請求の範囲】
【請求項１】
瓶（３）用容器（２）を含む装置（１）であって、
前記容器（２）は、開口部（７）及び底部（８）を有し、
前記装置（１）は、前記容器（２）をテーブル（５）の縁部（６）にフックするように設計された支持部（４）をさらに含み、
前記支持部（４）が台座（１０）を含み、下記の（ｉ）第１の位置および（ｉｉ）第２の位置で、前記支持部（４）及び前記容器（２）が相互に結合するための手段（１７，１８，３１）を含む点において特徴付けられる装置（１）。
（ｉ）前記支持部（４）の台座（１０）が前記容器（２）の開口部（７）の側に位置し、前記支持部（４）は、前記容器（２）の開口部（７）が上方を向いた様態で、前記装置（１）を前記テーブル（５）の縁部（６）上にフックするように設計される第１の位置
（ｉｉ）前記支持部（４）の台座（１０）が前記容器（２）の底部（８）の側に位置し、前記支持部（４）は、前記容器（２）を支持するテーブル（５）上に安定した様態で立設するように設計される第２の位置
【請求項２】
請求項１に記載の装置（１）であって、前記支持部（４）は、前記第１の位置と前記第２の位置との間で前記容器（２）に対して回転するように、取り付けられる装置（１）。
【請求項３】
請求項２に記載の装置（１）であって、前記支持部（４）は、前記装置（１）の全体軸（Ｘ）に対しておおよそ直角な反転軸（Ｙ）の周囲で前記容器（２）に対して回転するように、取り付けられる装置（１）。
【請求項４】
請求項１乃至３に記載の装置（１）であって、前記支持部（４）は、前記支持部（４）上に前記容器（２）に対し反対側に設けられた溝部（９）を含み、前記支持部（４）が前記第１の位置にある場合に、前記溝部（９）は、前記装置（１）を前記テーブル（５）の縁部（６）上にフックするように、設計される装置（１）。
【請求項５】
請求項４に記載の装置（１）であって、前記溝部（９）は、前記装置（１）の全体軸（Ｘ）に対して直角な面（Ｐ２）に対して傾いている装置（１）。
【請求項６】
請求項４又は５に記載の装置（１）であって、前記溝部（９）は、上側リップ（２４）を持つ上面（１９）及び下側リップ（２５）を持つ下面を有し、前記上面（１９）は、前記第１の位置において、テーブル（５）の頂面（２０）を押圧するように設計され、前記下面（２１）は、前記第１の位置において、前記頂面（２０）の反対側である前記テーブル（５）の下側（２２）を押圧するように、設計される装置（１）。
【請求項７】
請求項６に記載の装置（１）であって、前記上側リップ（２４）は、前記溝部（９）の上面（１９）と同一側上の前記支持部（４）に固定された付属の挿入物（２９）で形成される装置（１）。
【請求項８】
請求項６又は７に記載の装置（１）であって、上側リップ（２４）と下側リップ（２５）のうち少なくとも一つは滑り止め表面を備える装置（１）。
【請求項９】
請求項１乃至８に記載の装置（１）であって、前記容器（２）及び前記支持部（４）は、側壁（１１，１２）を有し、前記第１の位置において、これらの側壁は互いに連続する装置（１）。
【請求項１０】
請求項９に記載の装置（１）であって、前記第１の位置において、頂部が平面で切断された卵形形状を有する装置（１）。
【請求項１１】
請求項１乃至１０に記載の装置（１）であって、前記第１の位置において、前記支持部（４）の台座（１０）及び前記容器（２）の開口部（７）は、同一平面上に配置される装置（１）。
【請求項１２】
請求項１乃至１１に記載の装置（１）であって、前記台座（１０）は、平面（Ｐ１）において延び、前記容器（２）の底部（８）は、頂点（１４）において終端し、前記頂点（１４）は、前記支持部（４）が前記第２の位置にある場合に、この平面（Ｐ１）中に含まれる装置（１）。
【請求項１３】
請求項１２に記載の装置（１）であって、前記台座（１０）の平面（Ｐ１）は、反転軸（Ｙ）とゼロではない角度（Ａ）を形成し、これにより、この反転軸（Ｙ）は、前記容器（２）の方向から離れる方向において前記台座（１０）の平面に近づく装置（１）。
【請求項１４】
請求項１３に記載の装置（１）であって、前記角度（Ａ）の選択は、前記台座（１０）の平面（Ｐ１）上への前記装置（１）の重心の射影が、前記台座（１０）と、前記台座（１０）及び前記容器（２）の頂点（１４）との間の空間と、からなる領域内に存在するように、行われる装置（１）。
【請求項１５】
請求項１３又は１４に記載の装置（１）であって、前記角度（Ａ）は、３°〜１０°である装置（１）。
【請求項１６】
請求項１乃至１５に記載の装置（１）であって、前記容器（２）は、平坦な外側壁（１５）を含み、前記外側壁（１５）上に、前記支持部（４）が回転するように取り付けられる装置（１）。
【請求項１７】
請求項１６に記載の装置（１）であって、前記平坦な外側壁（１５）は、前記支持部（４）の反転軸（Ｙ）に対して垂直であり、前記装置（１）の全体軸（Ｘ）に対してオフセットしており、これにより、前記全体軸（Ｘ）は前記容器（２）を貫通する装置（１）。
【請求項１８】
請求項１６又は１７に記載の装置（１）であって、前記容器（２）を前記支持部（４）に固定するシステム（３１）を含み、この固定するシステム（３１）は、前記容器（２）の平坦な外側壁（１５）から突出するフックを含み、これらのフックは、前記支持部（４）上でこれらフックに対面するように取り付けられたリング（３３）をクリップすることが可能である装置（１）。
【請求項１９】
請求項１８に記載の装置（１）であって、前記固定するシステム（３１）は、前記容器（２）の平坦な外側壁（１５）から突出し、前記リング（３３）の内側の円形縁部（４５）上で滑ることができる環状リブ（３４）を含む装置（１）。
【請求項２０】
請求項１９に記載の装置（１）であって、前記固定するシステム（３１）は、前記環状リブ（３４）の自由縁部（３６）から径方向に突出し、前記リング（３３）の内側の縁部（４５）に径方向に形成された切り欠き部（４７）中に差込むことができるタブ（３５）をさらに含む装置（１）。
【請求項２１】
請求項１８乃至２０に記載の装置（１）であって、前記固定するシステム（３１）は、前記環状リブ（３４）と前記リング（３３）との間に挿入される少なくとも１つの座金（４８，４９）を含む装置（１）。
【請求項２２】
請求項１乃至２１に記載の装置（１）であって、前記位置のうちのいずれか１つにおいて前記容器（２）に対する前記支持部（４）の方向を維持するためのロック機構（５８）を含む装置（１）。
【請求項２３】
請求項２２に記載の装置（１）であって、このロック機構（５８）は、移動するロックボルト（５９）を含み、移動する前記ロックボルト（５９）は、ロック位置とリリース位置との間で前記支持部（４）に対してスライドするように、取り付けられ、前記ロック位置では、前記ロックボルト（５９）は、前記容器（２）が備えるハウジング（６０，６１）中に係合され、前記リリース位置では、前記ロックボルト（５９）が前記ハウジング（３０，３１）から取り除かれる装置（１）。
【請求項２４】
請求項２３に記載の装置（１）であって、前記ロック機構（５８）は、前記ロックボルト（５９）をそのロック位置へと付勢する伸縮バネ（６２）を含む装置（１）。
【請求項２５】
請求項２３又は２４に記載の装置（１）であって、前記ロックボルト（５９）は、前記支持部（４）の外部から手動で操作可能な押しボタンを形成する装置（１）。
【請求項２６】
請求項２３乃至２３に記載の装置（１）であって、前記容器（２）の平坦な外側壁（１５）は、自身から突出するリブ（６３）を有し、前記リブ（６３）は、２つの半円形部位（６４，６５）を含み、これら２つの半円形部位（６４，６５）は、２つのセットバック（６６，６７）によって接続され、これらのセットバック（６６，６７）は、直径の反対側に配置され、それぞれ、前記ロック機構（５８）のロックボルト（５９）を収容できるハウジング（６０，６１）を形成する装置（１）。
【発明の詳細な説明】
【技術分野】
【０００１】
本発明は、瓶用容器を含む装置に関する。本装置は、テーブルにおいて、瓶中に充填された飲料を提供及び／又は冷却することを目的としている。
【０００２】
より詳細には、本発明は、瓶用容器を含む装置に関する。この容器は、開口部及び底部を有する。この装置は、容器をテーブルの縁部にフックするように設計された支持部をさらに含む。
【背景技術】
【０００３】
特許文献１中に、このような装置の一例が記載されている。この装置中、容器をテーブルの縁部上にフックしようとする場合に、容器は支持部上に立設しているだけである。それとは対照的に、この容器をテーブル上に立設する場合に、この容器がその支持部から取り外されると、この使用モードにおいては、用を為さなくなる。
【０００４】
詳細には、この装置は、以下の不利な点を示す。
（ｉ）装置の使用及び／又は保存時に支持部が比較的かさばる。
（ｉｉ）ユーザが支持部を置き忘れてしまった場合、ユーザが装置をテーブル縁部上にフックしたいと思った場合にその支持部を用いることが不可能になるという危険性がある。
【特許文献１】米国特許第５６０９３１８号明細書
【発明の開示】
【発明が解決しようとする課題】
【０００５】
本発明の詳細な目的は、これらの不利な点を軽減することである。
【課題を解決するための手段】
【０００６】
この目的のため、本発明によれば、この種の装置は、支持部が台座を含み、支持部及び容器が、支持部及び容器を第１の位置及び第２の位置で相互に結合するための手段を含む点において特徴付けられる。
【０００７】
前記第１の位置において、前記支持部の台座は、前記容器の開口部の側に位置し、前記支持部は、前記容器の開口部が上方を向いた様態で、前記装置を前記テーブルの縁部上にフックするように設計される。
【０００８】
前記第２の位置において、前記支持部の台座は、前記容器の底部側に位置し、前記支持部は、前記容器を支持するテーブル上に安定した様態で立設するように設計される。
【０００９】
これらの手段により、本発明による装置は、比較的コンパクトとすることができ、また、前記支持部の置き忘れも回避する。前記支持部が前記容器に固定されるため、ユーザにとって前記装置を保持する行為がより容易になる。
【００１０】
本発明の多様な実施形態において、以下の手段のうち１つ及び／又は他のものが得られる。
【００１１】
前記支持部は、前記第１の位置と前記第２の位置との間で前記容器に対して回転するように、取り付けられる。
【００１２】
前記支持部は、前記装置の全体軸に対しておおよそ直角な反転軸の付近で前記容器に対して回転するように、取り付けられる。
【００１３】
前記支持部は、前記容器に対して反対側に設けられた溝部を含み、前記支持部が前記第１の位置にある場合に、前記溝部は、前記装置を前記テーブル縁部上にフックするように、設計される。
【００１４】
前記溝部は、前記装置の全体軸に対して直角な面に対して傾いている。
【００１５】
前記溝部は、上側リップを持つ上面及び下側リップを持つ下面を有する。前記上面は、前記第１の位置において、テーブルの頂面を押圧するように設計される。前記下面は、前記第１の位置において、前記頂面の反対側の、前記テーブルの下側を押圧するように、設計される。
【００１６】
前記リップの一方及び／又は他方は、滑り止め表面を備える。
【００１７】
前記上側リップは、前記溝部の上面と同一側上の前記支持部に固定された付属の挿入物で形成される。
【００１８】
前記容器及び前記支持部は、側壁を有する。前記第１の位置において、これらの側壁は互いに連続する。
【００１９】
前記第１の位置において、前記装置は、頂部が平面で切断された卵形形状を有する。
【００２０】
前記第１の位置において、前記支持部の台座及び前記容器の開口部は、同一平面上に配置される。
【００２１】
前記容器は、平坦な外側壁を含む。前記外側壁上に、前記支持部が回転するように取り付けられる。
【００２２】
前記平坦な外側壁は、前記支持部の反転軸に対して垂直であり、前記装置の全体軸に対してオフセットしており、これにより、前記全体軸は前記容器を貫通する。
【００２３】
前記台座は、一平面において延び、前記容器の底部は、頂点において終端する。前記頂点は、前記支持部が前記第２の位置にある場合に、この平面中に含まれる。
【００２４】
前記台座の平面は、前記反転軸とゼロではない角度を形成し、これにより、この軸は、前記容器の方向から離れる方向において前記台座の平面に近づく。
【００２５】
前記角度の選択は、前記台座の平面上への前記装置の重心の射影が、前記台座（１０）と、前記台座（１０）及び前記容器（２）の頂点（１４）との間の空間と、からなる領域内に存在するように、行われる。
【００２６】
前記角度は、３°〜１０°である。
【００２７】
前記容器を前記支持部に固定するシステムが設けられる。このシステムは、フックを含む。これらのフックは、前記容器の平坦な外側壁から突出し、前記支持部上でこれらフックに対面するように取り付けられたリングをクリップすることが可能である。
【００２８】
この固定するシステムは、前記容器の平坦な外側壁から突出する環状リブを含み、前記リングの内側の円形縁部上で滑ることができる。
【００２９】
この固定するシステムは、前記環状リブの自由縁部から径方向に突出するタブをさらに含み、リングの内側の縁部において径方向に形成された切り欠き部中に差込むことができる。
【００３０】
前記固定するシステムは、前記環状リブと前記リングとの間に挿入される少なくとも１つの座金を含む。
【００３１】
前記位置のうちのいずれか１つにおいて前記容器に対する前記支持部の方向を維持するためのロック機構を含む。
【００３２】
このロック機構は、移動ロックボルトを含む。前記移動ロックボルトは、ロック位置とリリース位置との間で前記支持部に対してスライドするように、取り付けられる。前記ロック位置では、前記ロックボルトは、前記容器を備えるハウジング中に係合され、前記リリース位置では、前記ロックボルトが前記ハウジングから取り除かれる。
【００３３】
前記ロック機構は、前記ロックボルトをそのロック位置へと付勢する伸縮バネを含む。
【００３４】
前記ロックボルトは、前記支持部の外部から手動で操作可能な押しボタンを形成する。
【００３５】
前記容器の平坦な外側壁は、自身から突出するリブを有する。前記リブは、２つの半円形部位を含む。これら２つの半円形部位は、２つのセットバックによって接続される。これらのセットバックは、直径の反対側に配置され、それぞれ、前記ロック機構のロックボルトを収容できるハウジングを形成する。
【発明を実施するための最良の形態】
【００３６】
本発明の他の特徴及び利点は、以下の説明を添付図面と共に読めば、明らかになる。
【００３７】
図１は、瓶用容器（より一般的には「シャンパンバケット」と呼ばれる（以下、装置１をバケットと呼ぶ））を含む装置１を示す。
【００３８】
バケット１は、中空の容器２を含む。中空の容器２中に、特に冷却目的のために瓶３（通常はシャンパン瓶）を差込むことができる。一方、支持部４は、バケット１をテーブル５上に載せることもできるし、あるいは、バケット１をこのテーブルの縁部６に取り付けることもできる。
【００３９】
容器２は、開口部７及び底部８を有する。開口部７は、円形の外形を有する縁によって形成される。この縁を介して瓶３が差込まれる。底部８は、瓶３を静止させる。
【００４０】
支持部４は、フック手段９及び台座１０を含む。このフック手段９は、この例において溝部形状をしており、これにより、バケット１をテーブル５の縁部６に取り付けることが可能となる。台座１０により、バケット１をテーブル５上に安定配置することができる。
【００４１】
支持部４は、容器２に対して移動可能な状態で、容器２に固定され、これにより、反転軸Ｙの付近で反転可能となる。この場合、支持部４は、第１の位置（フック位置として知られる図１〜図３、図７及び図８に図示）と、第２の位置（立設位置と命名する、図９〜図１２に図示）との間で、反転軸Ｙの付近で容器２に対して回転するように取り付けられる。第２の位置において、支持部４は、そのフック位置に対して１８０°回転している（すなわち、反転している）。
【００４２】
特に図１〜図３から分かるように、バケット１は、フック位置において、頂部が平面で切断された全体卵型形状を有する。容器２及び支持部４は、外部側壁１１及び１２を有する。これらの外部側壁１１及び１２は互いに連続するように設けられ、これにより、この構成において、バケット１は、平滑な外観を有する外側表面１３を有する。図２及び図３から分かるように、容器２は、開口部７に対する反対側端部において、頂点１４で終端する。
【００４３】
さらに、フック位置において、バケット１の形状は、反転軸Ｙを含みかつ頂点１４を通る平面に対して対称である。この対称平面は、図２において切断面ＩＩＩ−ＩＩＩの平面と一致し、図３においてページの平面と一致する。この場合、バケット１は実際には、対称平面中に含まれる主軸Ｘ付近で対称回転する外部形状を有する。この主軸Ｘは、頂点１４において、容器２の丸みが付与された底部８と交差する。
【００４４】
台座１０は、平坦な表面で形成され、この平坦な表面は、図に示す実施形態において、図３からより実際的に明らかなように、容器の開口部７の平面Ｐ１と同じ面を通る。
【００４５】
容器２は、平坦な外側壁１５をさらに含む。この外側壁１５は、支持部４の反転軸Ｙに対して垂直な平面を通り、主軸Ｘに対してオフセットし、その上に、支持部４が反転軸Ｙ付近で回転するように取り付けられる。
【００４６】
図６から明らかなように、この例の支持部４は、円形穴１７を備える取付プレート１６を介して、容器２の平坦な外側壁１５上に取り付けられたワンピースシェルの形態をしている。この取付プレート１６は、平坦な壁１５（図３、図４、図８及び図１１に明確に図示）から突出する補助杭１８にわたって取り付けられ、これは、支持部４の反転軸Ｙを具現化する。
【００４７】
フック位置（特に図３）において、バケット１の卵型形状は、バケット１をその頂点１４において立設することによってバケット１をテーブル５上の安定位置に維持することが不可能であることを意味することが容易に理解される。この位置において、図７及び図８に示すように、バケット１は、実際、テーブル５の縁部６に取り付けられることを目的としている。
【００４８】
フック手段９により、この取付を簡単かつ信頼性高く行うことが可能となる。
【００４９】
実際は、フック手段９は、溝部の形状で形成される。この溝部形状は、台座１０近隣の支持部４中の凹部として形成され、上面１９及び下面２１を含む。この上面１９は、支持部４がフック位置にある場合、底部８と対面し、これにより、テーブル５の頂面２０（図８）に対して押圧可能となる。この下面２１は、支持部４がフック位置にある場合、上記とは対照的に台座１０に対面し、これにより、頂面２０の反対側であるテーブル５の下側２２（図８）に対して押圧可能となる。
【００５０】
溝部９は、容器２と同じ側において、底部２３において終端する。この底部２３は、面１９及び２１を接続し、略円環状表面の形状をしており、その凹側は、バケット１の対称軸Ｘからそれる方に向いている（図４）。
【００５１】
図３から分かるように、溝部９は、バケット１の幾何学的中心に向かって支持部４中に斜め方向にくぼんでいる。すなわち、面１９及び２１は、おおよそ平行であり、バケット１の対称軸Ｘに対して垂直な平面Ｐ２に対して（例えば図５中に示す２０°〜４０°の）角度Ｂ（図示例ではおよそ２５°）で傾いており、バケット１がそのフック位置（図３）にあると考えられる場合、溝部９は、バケット１の重心の上方にある。
【００５２】
上面１９は下面２１に向かってドーム状にされ、これにより、底部２３の近傍において、上側リップ２４が形成される。この上側リップ２４は、上面２１とテーブル５の頂面２０との間（図８）の接触領域を形成することを目的とし、溝部の底部２３によって形成された円弧と同心状の円弧を描き、これにより、好適には、平面Ｐ２（図４及び図８）に対しておおよそ平行となる。
【００５３】
下面２１については、下面２１は、溝部９の端において、下側リップ２５を有する。この下側リップ２５は、上側リップ２４に対してバケット１の外側に向かってオフセットし、平面Ｐ２に平行に延び、フック位置において、下面２１とテーブル５の下側２２との間で接触領域を形成することを目的とする（図８）。
【００５４】
よって、バケット１をテーブル５の縁部６に取り付けるための手順は、以下に述べる通りとなる。
【００５５】
バケット１を若干の角度を保持しながら、縁部６が溝部の底部２３と接触するまで、縁部６を面１９及び面２１に対しておおよそ平行にし、溝部９を、テーブル５の縁部６に合わせる。
【００５６】
その後、バケット１を自身の重量により旋回させ、その後、テーブル５の縁部６は、上側リップ２４と下側リップ２５との間でレバー効果によってクランプされる。片持ち梁様式で配置されるため、バケット１は、自身でテーブル５の縁部６をグリップする。
【００５７】
溝部９の形状（特に、湾曲形状及びその部分の上側リップ２４の長さ）は、このフック作業の安定性を保証する。
【００５８】
この位置において、バケット１の軸は、テーブル５の平面に対しておおよそ垂直であり、開口部７は、上方に方向付けられる。もちろん、若干の角度変化は許容され、これらは全て、溝部９の幅に対するテーブル５の厚さに依存する。
【００５９】
立設位置に支持部４を配置するために必要なのは、その反転軸Ｙを中心に１８０°回転させることにより支持部４を反転させることだけであり、その後、台座１０を、容器２の底部８と同じ端部に配置する。換言すれば、容器２及び支持部４は、互いに逆に方向付けられる。
【００６０】
図１１から分かるように、容器２の頂点１４は、台座１０の平面Ｐ１に設けられる。すなわち、テーブル５上に立設されたバケット１は、台座１０及び頂点１４の両方の上に設けられる。
【００６１】
さらに、図１１から分かるように、支持部４の反転軸Ｙは、容器２からの反対方向において台座１０の平面Ｐ１に向かって傾いており、平面Ｐ１と共に３°〜１０°の角度Ａ（上記例においてはおよそ４°）を形成する。この傾きにより、テーブル５の頂面２０に対して傾いた状態で配置されたバケット１がテーブル５上に配置されると、（開口部７は、どんな状況下でも、常に上方を向いている）容器２の平坦な外側壁１５は、反転軸Ｙに垂直となる。その結果、平面Ｐ１上へのバケット１の重心の射影は、台座１０の方向へオフセットするが、テーブル５の頂面２０と一致し、その結果、このバケットの安定性が改善される。有利なことに、角度Ａは、この射影が、台座１０と、台座１０及び容器２の頂点１４との間の空間と、からなる領域に配置されるように選択される。
【００６２】
材料選択に関しては、バケット１の対象とする環境に依存する。バケットは、全体をプラスチックで形成してもよく、その場合、重量及び製造利便性が改善される。
【００６３】
容器２及び支持部４を異なる材料で形成することも可能である。
【００６４】
よって、一実施形態によれば、容器は、プラスチック（例えば、ＰＶＣ（これは、透明又は半透明であり得る））又はポリカーボネートで構成され、その部分の支持部４は、アルミニウムなどの金属材料で形成される。その結果、一方では、高価値の外観が得られ、他方では、立設位置において、バケット１の安定性が改善され、その重心は、支持部４の方へ実際にオフセットする。
【００６５】
溝部９の存在により、バケット１を片手のみで保持することが可能となり、取り扱いがより容易になる点に留意されたい。
【００６６】
さらに、バケット１のフック位置におけるグリップを改善するために、溝部９に滑り止め表面２８を設ける点を予想することが可能である。
【００６７】
例えば、この滑り止め表面２８は、好適には上側リップ２４及び下側リップ２５において、溝部９の上側表面１９及び下側表面２１を少なくとも部分的に被覆する。
【００６８】
具体的に言えば、上側面１９及び下側面２１をサンドブラスト加工してその粗さを増加させることで、このような滑り止め表面を形成することが可能となり、テーブル５の頂面２０及び下側２２に対する摩擦係数が得られる。
【００６９】
代替物として、テーブル５に対するその押圧領域において、取り付けられたパッドにより、溝部９を設けることも考えられる。これらのパッドは、高い摩擦係数を有する材料（例えば、ゴム）で形成される。これらのバッファは、例えば、接着又はオーバーモールディングによって固定される。
【００７０】
ここで、図１３〜図１９に示す、バケット１の実施形態の別の形態について説明する。この別の形態は、上記実施形態と共通点が多くある。そのため、差異点のみを以下に説明する。同一構成要素は、同一参照符号で示す。
【００７１】
図１４から分かるように、ここで、上側リップ２４は、付属の挿入物２９で形成される。この付属の挿入物２９は、支持部４の内側に向かって中空状に設けられた補助ハウジング３０の中に組み込むことにより、溝部９の上面１９と同一側上の支持部４に固定される。
【００７２】
この付属の挿入物２９は、好適には、テーブル上部の従来の構成材料（木、ガラス、金属、織物）に対して高摩擦係数を示す弾性材料で構成される。この場合、選択された材料はエチレン酢酸ビニール（ＥＶＡ）であり、支持部４そのものはアルミニウムで構成される。付属の挿入物２９は、高摩擦係数を持つその弾性材料により、バケット１がフックされているテーブルからスリップするのを防ぎ、かつ、支持部４は、その金属材料に起因して、テーブルにフックされているときもこのテーブル上に立設されているときもバケット１に対して合理的重量を与え、その安定性を改善させる。
【００７３】
さらに、バケット１は、容器２を支持部４に固定するシステム３１を含む。それと同時に、このシステムにより、支持部４を容器２に対して反転軸Ｙの付近で回転させることが可能となる。
【００７４】
固定するシステム３１は、フック３２を含む。これらのフック３２は、容器２の平坦な外側壁１５から突出し、フック３２と対面する状態で支持部４上に取り付けられた円形リング３３上にクリップ可能である。
【００７５】
図１５から分かるように、図示例において、幾何学的回転軸Ｙの周囲に３つのフック３２が１２０°で分散して設けられる。
【００７６】
環状リブ３４は、主要リブと命名され、平坦な壁１５から突出し、フック３２を結合させる。この主要リブ３４は、主要リブ３４の自由縁部３６から径方向に突出するタブ３５を備える。
【００７７】
リング３３は、平坦壁１５に対向して支持部４中に形成された補助ハウジング３７中に取り付けられることを目的とし、外側部位３８を有する。外側部位３８中には、穴３９が貫通し、穴３９において、ハウジング３７の底部における支持部４から突出する位置決め杭４０が係合する。リング３３がこのようにそのハウジング３７中に取り付けられると、その回転軸は、容器２に対して、支持部４の反転軸Ｙと一致する。
【００７８】
リング３３は、内側部位４１も有する。内側部位４１は、外側部位３８を、リング３３の回転軸に向かって径方向に延ばす。内側部位４１の厚さは外側部位３８の厚さよりも薄く、これにより、各側上に、２つのカウンターボア４２及び４３（内側カウンターボア４２及び外側カウンターボア４３と命名）をそれぞれ形成し、その目的は、以下において明らかになる。
【００７９】
内側部位４１は、その外周上において、一連の穴４４で貫通され、円形内側の縁部４５を有する。この円形内側の縁部４５は、その周囲上で、チャンファ４６、縁部４５中に径方向に形成された切り欠き部４７を備える。図１６から分かるように、切り欠き部４７は３個であり、リング３３の回転軸周囲で１２０°で分散して設けられる。
【００８０】
ここで、リング３３は、金属材料（好適にはアルミニウム）で形成される。
【００８１】
さらに、図１４に示すように、固定するシステム３１は、内側の座金４８及び外側の座金４９を含む。内側の座金４８は、リング３３と支持部４との間に挿入されることを目的とし、外側の座金４９は、リング３３と容器２の平坦な外側壁１５との間で挿入されることを目的とする。
【００８２】
内側の座金４８は、軸方向部位５１によって延び、内側カウンターボア４２と同じ側上でリング３３の内側部位４１上に取り付けられる径方向部位５０を有する。この軸方向部位５１は、リング３３の内側の縁部４５上に取り付けられる。
【００８３】
外側の座金４９は、内側の座金４８と同様に、径方向部位５２を有する。径方向部位５２は、外側カウンターボア４３と同じ側で、リング３３の内側部位４１上に取り付けられる。外側カウンターボア４３は、内側の座金４８の軸方向部位５１と連続するリング３３の内側の縁部４５上に取り付けられる軸方向部位５３まで延びる。
【００８４】
外側の座金４９は、その外周上で、一連のブッシング５４を含む。これらのブッシング５４は、その径方向部位５２から突出し、穴４４中に取り付けられ、内側の座金４８は、その外周上に、一連の杭５５を含む。これらの杭５５は、穴４４中に差込まれ、ブッシング５４中にクリップされ、これにより、座金４８及び４９は共に、リング３３の内側部位４１を挟む。
【００８５】
図１７及び図１８から分かるように、座金４８及び４９は、切り欠き部５６及び５７を備える。これらの切り欠き部５６及び５７は、それぞれの径方向部位５０及び５２において径方向に形成される。
【００８６】
これらの切り欠き部５６及び５７は、各座金４８及び４９について、３個ずつ１２０°で分散して設けられ、リング３３中に形成された切り欠き部４７の各側でアラインメントをとって設けられる。
【００８７】
よって、容器２が以下のようにして支持部４に固定される。
【００８８】
先ず、座金４８及び４９をこのリングの各側上に取り付け、杭５５を穴３９を通じてブッシング５４中にクリップすることにより、座金４８及び４９をリング３３上に取り付ける。
【００８９】
その後、リング３３をそのハウジング３７中に取り付ける。リング３３は、支持部４にネジ締結などにより固定する。
【００９０】
その後、タブ３５を切り欠き部４７、５６及び５７と一致した様態で配置した後に容器２をリング３３に押圧することにより、容器２を支持部４上に取り付ける。その後、フック３２を外側の座金４９の軸方向部位５３に対して弾性スライドさせながら、これらのタブ３５を切り欠き部４７、５６及び５７中に取り付けて、内側の座金４８の軸方向部位５１にクリップさせる。
【００９１】
このようにして、容器２を支持部４に永久固定させ、座金４８及び４９の軸方向部位５１及び５３に対して主要リブ３４をスライドさせつつ、フック３２及びタブ３５は内側の座金４８の軸方向部位５１と係合される。その部分における外側の座金４９の径方向部位５２は、容器２の平坦な外側壁１５に対してスライドする。
【００９２】
座金４８及び４９の材料選択は、容器２の平坦な外側壁１５及び主要リブ３４に対する摩擦を最低限にするような材料が選択される。好適には、テフロン（登録商標）加工で周知のポリテトラフルオロエチレン（ＰＴＦＥ）（ＴＥＦＬＯＮ（登録商標）という商品名でも知られる）が選択される。
【００９３】
さらに、図１４に示すように、バケット１は、ロック機構５８を含む。ロック機構５８は、フック位置又は立設位置のいずれかにおいて、容器２に対して支持部４の方向付けを維持することを目的とする。
【００９４】
このロック機構５８は、移動ロックボルト５９を含む。移動ロックボルト５９は、ロック位置（図１４）とリリース位置との間で、支持部４に対してスライドするように取り付けられる。ロック位置（図１４）において、ロックボルト５９は、容器２に設けられたハウジング６０及び６１中に係合され、リリース位置において、ロックボルト５９はこのハウジング６０及び６１から取り除かれる。伸縮バネ６２は、支持部４に対して支持され、ロックボルト５９をそのロック位置に向かって付勢する。
【００９５】
さらに、図１５から分かるように、平坦壁１５は、自身から突出する第２リブ６３を有する。この第２リブ６３は、主要リブ３４と同心状であり、主要リブ３４よりも直径が小さい。この第２リブ６３は、２つの半円形部位６４及び６５を含む。これらの半円形部位６４及び６５は、２つのセットバック（すなわち、上側セットバック６６及び下側セットバック６７）によって接続される。これらの上側セットバック６６及び下側セットバック６７は、直径の反対側に設けられ、本明細書中にて上述したような上側ハウジング６０及び下側ハウジング６１をそれぞれ形成し、容器２に対する支持部４の位置に応じてロックボルト５９を収容するように設計される。
【００９６】
より詳細には、ロックボルト５９は、ボディ６８を含む。このボディ６８は、座面６９を示す。この座面６９は、図１４から分かるように、溝部の下面２１及び底部２３の一部を形成する。ボディ６８は、容器２と同じ側において、頭部７０を備える。この頭部７０は、ハウジング６０及び６１と協働することを目的とするロックボルト５９の当該部分を構成する。
【００９７】
ロックボルト５９は、支持部４の外部から手動で操作可能な押しボタンを形成する。詳細には、その座面６９は、支持部４の容器２に対する方向付けを変更したいと望むユーザの手が届く箇所に有る。
【００９８】
よって、支持部４の立設位置（この位置において、ロックボルト５９の頭部７０は、上側ハウジング６０と係合する）から開始して、全てのユーザは、溝部９中に手を入れた後に座面６９を押圧して、頭部７０が上側ハウジング６０から外れるまでロックボルト５９をそのリリース位置まで移動させるだけでよい。その後、ユーザは、支持部４を容器２に対して回転させる。回転時、ユーザは、ロックボルト５９を押圧し続ける必要は無い。なぜならば、ロックボルト５９は、頭部７０が押圧されスライドされた半円形部位６４及び６５の一方又は他方によって（回転方向に応じて）そのリリース位置で保持されているからである。
【００９９】
支持部４が１８０°回転すると、頭部７０は、伸縮バネ６２の作用下で頭部７０が内部にクリップされた下側ハウジング６１と一致する。
【０１００】
ロックボルト５９が平坦壁１５に擦りつけられるため（特に、頭部７０が第２リブ６３に擦りつけられるため）、その製造に好適な材料としては、プラスチックに対して摩擦係数が低いものがよい（我々は、容器２がＰＶＣ又はポリカーボネート製であることを確認した）。よって、この場合、ロックボルト５９はポリアミド製である。
【０１０１】
上述した別の実施形態は、本明細書中にて上述した実施形態と同じ有利点を持つ。しかし、この別の形態では、ユーザが支持部４のフック位置又は立設位置を変更しようとしない限り、支持部４がそのフック位置又は立設位置の１つを占有している時に、容器２及び支持部４の相対位置を固定することが可能となる。その結果、特に瓶の重量下で容器２が支持部４に対して不要に回転する危険性が回避される。
【図面の簡単な説明】
【０１０２】
【図１】本発明における装置の、フックする位置を描写する斜視図である。
【図２】図１の装置の、ＩＩからの正面図である。
【図３】図２の装置の、ＩＩＩ−ＩＩＩの断面における立面図である。
【図４】前の図の装置の上面図である。
【図５】図３の装置の詳細な、断面における立面図である。
【図６】図１の装置の分解斜視図である。
【図７】図１及び図３と類似の、装置がテーブルの縁部にフックされている図である。
【図８】図１及び図３と類似の、装置がテーブルの縁部にフックされている図である。
【図９】本発明による装置の、テーブル上に安定位置で立設していることを描写している斜視図である。
【図１０】図９の装置の、Ｘからの正面図である。
【図１１】図１０の装置の、ＸＩ−ＸＩの断面における、テーブル上に立設した、立面図である。
【図１２】図９の装置の分解斜視図である。
【図１３】実施例の別の形態による、本発明の装置の図１と同様の図である。
【図１４】図１３の装置の、切断面ＸＩＶ−ＸＩＶにおける、断面の立面図である。
【図１５】図１４の装置の容器の斜視図である。
【図１６】図１４の装置の支持部が備える、装置の支持部に容器を固定するシステムの部分を形成するリングの斜視図である。
【図１７】図１６のリング上に取付けられることを目的とする座金の斜視図である。
【図１８】図１６のリング上に取付けられることを目的とする座金の斜視図である。
【図１９】図１４の装置が備えるロック機構の部分を形成するロックボルトの分離図である。
【符号の説明】
【０１０３】
１    装置
２    容器
３    瓶
４    支持部
５    テーブル
６    縁部
７    開口部
８    底部
９    溝部（フック手段）
１０  台座
１５  外側壁
２４  上側リップ
２５  下側リップ
３３  リング
３４  環状リブ
４５  内側の縁部
４７  切り欠き部
４８，４９  座金
５８  ロック機構
５９  ロックボルト
６２  伸縮バネ
【図１】
2008512313.tif 000003
【図２】
2008512313.tif 000004
【図３】
2008512313.tif 000005
【図４】
2008512313.tif 000006
【図５】
2008512313.tif 000007
【図６】
2008512313.tif 000008
【図７】
2008512313.tif 000009
【図８】
2008512313.tif 000010
【図９】
2008512313.tif 000011
【図１０】
2008512313.tif 000012
【図１１】
2008512313.tif 000013
【図１２】
2008512313.tif 000014
【図１３】
2008512313.tif 000015
【図１４】
2008512313.tif 000016
【図１５】
2008512313.tif 000017
【図１６】
2008512313.tif 000018
【図１７】
2008512313.tif 000019
【図１８】
2008512313.tif 000020
【図１９】
2008512313.tif 000021
【国際調査報告】
2008512313.tif 000022
2008512313.tif 000023
2008512313.tif 000024
2008512313.tif 000025